(57)【要約】【課題】  公平に遊技が行われることを維持でき、また、遊技店に多大な損失を与え難い遊技機を提供する。【解決手段】  変動入賞装置は、前面側を開口した凹室状に形成され、遊技領域を流下する遊技球を取り込み可能なケース１２を備え、該ケース１２内に、取り込んだ遊技球を転動可能な球振分部材３２を設ける。球振分部材３２は、取付部４０を突設し、該取付部４０と、ケース１２の底部のうち球振分部材３２の取付部４０が対向する箇所との間に免震部材４１を設けるとともに、当該球振分部材３２の側縁部とケース１２の内側面との間に離隔領域４２を形成する。【選択図】  図４
2006025840.tif 000002
【特許請求の範囲】
【請求項１】
前面側を開口した凹室状に形成され、遊技領域を流下する遊技球を取り込み可能なケースを備え、該ケース内に、取り込んだ遊技球を転動可能な球転動部を設けた遊技機において、
前記球転動部に免震手段を備えたことを特徴とする遊技機。
【請求項２】
前記球転動部に取付部を設け、
前記免震手段は、前記球転動部の取付部に対向する前記ケースの底部と前記取付部との間に免震部材を設けるとともに、前記球転動部の側縁部と前記ケースの内側面との間に所定幅の離隔領域を形成することで構成されることを特徴とする請求項１に記載の遊技機。
【請求項３】
前記免震部材は、積層ゴム及び／またはスプリングであることを特徴とする請求項２に記載の遊技機。
【請求項４】
前記免震部材は、前記ケースの底部に形成される包囲枠内で遊動する転動体を含むことを特徴とする請求項２に記載の遊技機。
【請求項５】
前記球転動部に加重部材を設けたことを特徴とする請求項２から請求項４のいずれかに記載の遊技機。
【請求項６】
前記球転動部の側縁部及び／または該側縁部に対向する前記ケース内側部に緩衝部材を設けたことを特徴とする請求項２から請求項５のいずれかに記載の遊技機。
【請求項７】
前記球転動部は、遊技価値の異なる複数の入賞孔を開設した球振分部材であることを特徴とする請求項１から請求項６のいずれかに記載の遊技機。
【請求項８】
前記球転動部は、前記ケース内に配設される特別入賞口に向けて下り傾斜する床部であることを特徴とする請求項１から請求項６のいずれかに記載の遊技機。
【請求項９】
前記球転動部は、前記ケースの下方に配設される入賞口へ遊技球を誘導可能なステージであることを特徴とする請求項１から請求項６のいずれかに記載の遊技機。
【発明の詳細な説明】
【技術分野】
【０００１】
本発明は、遊技球が転動する球転動部を備えたパチンコ遊技機等の遊技機に関する。
【背景技術】
【０００２】
従来の遊技機、例えばパチンコ遊技機において、遊技球が転動する球転動部を備えて、遊技者に遊技球の挙動を長く見せることで遊技の興趣を高めるものがある。また、球転動部については、遊技領域の他の役物（入賞口、始動口等）へ遊技球を誘導する機能を備えているものが提案されており、例えば、球転動部の一種である球振分部材（所謂クルーン）には、複数の入賞孔が開設され、各入賞孔へ遊技球が入賞した入賞孔によって獲得する遊技価値を異ならせて、遊技の興趣を増すように構成されている（例えば、特許文献１参照）。
【特許文献１】特開２００２−３０１２１９号公報
【発明の開示】
【発明が解決しようとする課題】
【０００３】
ところで、上記遊技機にて遊技を行う遊技者の中には、球転動部に遊技球が転動している時に遊技機を叩いたり揺らしたりして、遊技球の転動方向を故意に変えて遊技球を特定の入賞孔へ入賞させ、高い遊技価値を獲得しようと企てる者がいる。このような遊技者の行為が行われると、全ての遊技者に対して遊技価値を獲得するチャンスの公平性を保つことができない。また、遊技店側にとっては、釘の調整等により遊技価値を付与する確率を調整したとしても、予想以上に遊技者が遊技価値を獲得して多大な損失を被ってしまうという問題点が生じる虞がある。さらに、遊技者から繰り返し衝撃が与えられると、遊技機が損傷し易くなってしまう。
【０００４】
また、遊技者が遊技機を叩いたりすることなく健全に遊技を行っていても、地震等の不測の振動により球転動部が振動してしまうことがある。そして、遊技球が特定の入賞孔へ入賞しようとする方向へ転動しているときに不測の振動が発生すると、球転動部が振動して遊技球の転動方向が変わり易い。その結果、遊技球が特定の入賞孔に入賞しないと、遊技者は、本来獲得できたはずの遊技価値を逃してしまうことになる。したがって、遊技者の入賞への期待感を減衰させてしまい、遊技の興趣を損なわせてしまう虞があった。
【０００５】
そこで、本発明は、上記の事情に鑑みてなされたものであり、その目的は、公平に遊技が行われることを維持でき、また、遊技店に多大な損失を与え難い遊技機を提供しようとするものである。
【課題を解決するための手段】
【０００６】
本発明は、上記目的を達成するために提案されたものであり、請求項１に記載のものは、前面側を開口した凹室状に形成され、遊技領域を流下する遊技球を取り込み可能なケースを備え、該ケース内に、取り込んだ遊技球を転動可能な球転動部を設けた遊技機において、
前記球転動部に免震手段を備えたことを特徴とする遊技機である。
【０００７】
ここで「免震手段」とは、球転動部を、ケースに加わった外力が伝達し難い状態で支持し、球転動部とケースとの相対位置が変化した場合には、球転動部の位置を常態復帰させる復元力を発生する手段を意味し、遊技機やケースが外部からの衝撃により振動したとしても、球転動部が振動することを抑える機能を備えるものである。
【０００８】
請求項２に記載のものは、前記球転動部に取付部を設け、
前記免震手段は、前記球転動部の取付部に対向する前記ケースの底部と前記取付部との間に免震部材を設けるとともに、前記球転動部の側縁部と前記ケースの内側面との間に所定幅の離隔領域を形成することで構成されることを特徴とする請求項１に記載の遊技機である。
【０００９】
請求項３に記載のものは、前記免震部材は、積層ゴム及び／またはスプリングであることを特徴とする請求項２に記載の遊技機である。
【００１０】
請求項４に記載のものは、前記免震部材は、前記ケースの底部に形成される包囲枠内で遊動する転動体を含むことを特徴とする請求項２に記載の遊技機である。
【００１１】
請求項５に記載のものは、前記球転動部に加重部材を設けたことを特徴とする請求項２から請求項４のいずれかに記載の遊技機である。
【００１２】
請求項６に記載のものは、前記球転動部の側縁部及び／または該側縁部に対向する前記ケース内側部に緩衝部材を設けたことを特徴とする請求項２から請求項５のいずれかに記載の遊技機である。
【００１３】
請求項７に記載のものは、前記球転動部は、遊技価値の異なる複数の入賞孔を開設した球振分部材であることを特徴とする請求項１から請求項６のいずれかに記載の遊技機である。
【００１４】
請求項８に記載のものは、前記球転動部は、前記ケース内に配設される特別入賞口に向けて下り傾斜する床部であることを特徴とする請求項１から請求項６のいずれかに記載の遊技機である。
【００１５】
請求項９に記載のものは、前記球転動部は、前記ケースの下方に配設される入賞口へ遊技球を誘導可能なステージであることを特徴とする請求項１から請求項６のいずれかに記載の遊技機である。
【発明の効果】
【００１６】
本発明によれば、以下のような優れた効果を奏する。
請求項１に記載の発明によれば、前面側を開口した凹室状に形成され、遊技領域を流下する遊技球を取り込み可能なケースを備え、該ケース内に、取り込んだ遊技球を転動可能な球転動部を設けた遊技機において、球転動部に免震手段を備えたので、遊技者が叩いたり揺らしたりしたことや地震等の不測の振動により遊技機が振動したとしても、球転動部が振動することを防ぐことができる。したがって、球転動部上の遊技球の動きが突然に変化したり、あるいは故意に変化されたりすることを阻止できる。このことから、公平に遊技が行われることを維持することができ、遊技の興趣が減衰する不都合を抑えることができる。また、遊技者が遊技機を叩く等して外力を与える行為を抑制することができ、遊技機が損傷する不都合を生じ難くすることができる。さらに、遊技価値の付与率が遊技店の設定値を大きく上回らないようにすることができ、遊技店が多大な損失を被り難くすることができる。
【００１７】
請求項２に記載の発明によれば、球転動部に取付部を設け、免震手段は、球転動部の取付部に対向するケースの底部と取付部との間に免震部材を設けるとともに、球転動部の側縁部とケースの内側面との間に所定幅の離隔領域を形成することで構成されるので、球転動部が免震動作中にケースの内側壁に衝突し難い。したがって、球転動部がケースに当たって振動を生じてしまう不都合をなくすようにすることができる。
【００１８】
請求項３に記載の発明によれば、免震部材は、積層ゴム及び／またはスプリングであるので、球転動部に遊技球が落下してくる際の振動を吸収することができ、遊技球から受ける衝撃により球転動部が損傷することを抑えることができる。
【００１９】
請求項４に記載の発明によれば、免震部材は、ケースの底部に形成される包囲枠内で遊動する転動体を含むので、振動によりケースに加わる外力を球転動部に伝え難い。したがって、ケース内で球転動部が振動の伝播を打ち消す動きをスムーズに行うことができ、球転動部に対する免震効果を一層高めることができる。
【００２０】
請求項５に記載の発明によれば、球転動部に加重部材を設けたので、球転動部が移動しようとする時の加速を鈍らせることができる。したがって、遊技機が振動したとしても、球転動部を元の位置のまま動かさないように維持し易くなり、球転動部の免震効果を一層高めることができる。
【００２１】
請求項６に記載の発明によれば、球転動部の側縁部及び／または該側縁部に対向するケース内側部に緩衝部材を設けたので、免震動作中の球転動部とケースとが衝突したとしても、この衝突により球転動部あるいはケースが受ける衝撃を緩和することができ、ケースおよび球転動部の損傷を抑えることができる。
【００２２】
請求項７に記載の発明によれば、球転動部を、遊技価値の異なる複数の入賞孔を開設した球振分部材としたので、球振分部材を転動する遊技球は、遊技機が叩かれたこと等により急に転動方向を変えてしまうことがない。したがって、遊技球が、健全な遊技においては生じ得ないような動きをして、所定の入賞孔への偏った入賞を防ぐことができ、公平な遊技を行うことができる。
【００２３】
請求項８に記載の発明によれば、球転動部を、ケース内に配設される特別入賞口に向けて下り傾斜する床部としたので、床部を転動する遊技球は、遊技機が叩かれたこと等により急に転動方向を変えてしまうことがない。したがって、遊技球が、健全な遊技においては生じ得ないような動きをして特別入賞口へ入賞してしまうことを防ぐことができ、公平な遊技を行うことができる。
【００２４】
請求項９に記載の発明によれば、球転動部を、ケースの下方に配設される入賞口へ遊技球を誘導可能なステージとしたので、ステージを転動する遊技球は、遊技機が叩かれたこと等により急に転動方向を変えてしまうことがない。したがって、遊技球が、健全な遊技においては生じ得ないような動きをしてケース下方の入賞口へ入賞してしまうことを防ぐことができ、公平な遊技を行うことができる。
【発明を実施するための最良の形態】
【００２５】
以下、代表的な遊技機であるパチンコ遊技機を例に挙げて本発明の実施の最良の形態を図面に基づき説明する。図１はパチンコ遊技機の遊技盤１の正面図である。
【００２６】
パチンコ遊技機の遊技盤１は、図１に示すように、表面にガイドレール２等の区画部材により区画された遊技領域３を形成し、該遊技領域３内の略中央には、変動入賞装置（所謂センターケース）４を配設し、該変動入賞装置４の下方には、第１始動口５と第２始動口６とを配設している。また、この遊技領域３内には、この他に、遊技球の流下方向を変える風車７や遊技釘（図示せず）、一般入賞具８、発光により各種の装飾表示を行うランプ・ＬＥＤ９、及び入賞せずに流下した遊技球を回収するアウト口１０等が設けられている。
【００２７】
変動入賞装置４は、前面側を開口した凹室状に形成されたケース１２を、フロントケース１３とリアケース１４とを前後に配置した状態で組み合わせて形成し（図２（ａ）および図３参照）、フロントケース１３には、遊技盤１の表面に取り付けられる取付基板１５を設け、取付基板１５に開口部１６を開設し、該開口部１６の左右及び下部の縁を囲むようにして球侵入阻止壁１７を前方に突設し、開口部１６の上方には庇部１８を突設している。また、庇部１８の左下端と球侵入阻止壁１７の左上端との間、および庇部１８の右下端と球侵入阻止壁１７の右上端との間には、左右一対の可動部材１９を、外側へ開閉可能な状態で配置している。そして、常態の変動入賞装置４は、図１中実線で示すように、可動部材１９を略垂直となる姿勢に維持して庇部１８と球侵入阻止壁１７との間を閉塞し、遊技領域３を流下する遊技球が変動入賞装置４内に流入することを阻止している。また、可動部材１９を回転して外側に開くと（図１中破線）、変動入賞装置４は、可動部材１９の先端を庇部１８の下端から離間させて可動部材１９と庇部１８との間を開口し、遊技領域３を流下中の遊技球を変動入賞装置４内に取り込み可能な状態となる。
【００２８】
また、フロントケース１３およびリアケース１４により、開口部１６の奥側へ凹んだ凹室２１が形成されている。この凹室２１は、図２（ａ）に示すように、上寄りの位置に棚部２２を後方へ向かって下り傾斜する状態で備え、該棚部２２の上側を上側凹室２３、下側を下側凹室２４としている。そして、棚部２２の傾斜下端には、上側凹室２３と下側凹室２４とを連通する連通口２５を開設し、該連通口２５の下方に遊技球を１個ずつ検出するカウントセンサ２６を設けている。
【００２９】
下側凹室２４は、連通口２５の下方から左右両側へ湾曲した円弧状の球流下部３０（第１球流下部３０ａおよび第２球流下部３０ｂ）を、前方へ下り傾斜した状態で凹室２１の内側壁に沿って備えている。この球流下部３０は、連通口２５の直下に臨ませた箇所に振分突起３１を前後方向へ延びた状態で突設し、該振分突起３１の左側を第１球流下部３０ａとし、右側を第２球流下部３０ｂとしている。そして、第１球流下部３０ａの下端部を下側凹室２４の底部近傍に配置し、第２球流下部３０ｂの下端を球排出口（図示せず）へ接続している。また、球流下部３０に囲まれた領域の下方であって、第１球流下部３０ａの前側下端と略同じ高さの位置には、遊技球を振り分ける球振分部材３２（本発明の球転動部に相当。所謂クルーン）を備えている。
したがって、遊技球が連通口２５から下側凹室２４内に落下すると、この遊技球は、振分突起３１により左右いずれかの方向へ振り分けられ、左側に振り分けられると、第１球流下部３０ａを流下して下方の球振分部材３２に到達する。一方、右側へ振り分けられると、第２球流下部３０ｂを流下して球排出口を通過し、遊技盤１の裏側へ回収される。なお、第２球流下部３０ｂの内側（球振分部材３２が配置されている側）には、球落下防止壁３３が突設されており、第２球流下部３０ｂを流下する遊技球が球振分部材３２へ落下しないように構成されている。
【００３０】
次に、球振分部材３２について説明する。
球振分部材３２は、複数の入賞孔３５を開設し、当該球振分部材３２の上面に転動する遊技球を何れかの入賞孔３５へ振り分け、入賞した入賞孔３５により異なる遊技価値を遊技者に付与するためのものである。この球振分部材３２は、図２（ｂ）に示すように、上面の略中央にすり鉢状の窪部３６を形成し、窪部３６内の底部の中央前寄りに１つの特別入賞孔（特定入賞孔）３５ａを開設し、中央後寄りには複数（本実施形態では２つ）の一般入賞孔３５ｂを開設している。また、窪部３６の周囲には、第１球流下部３０ａの下端の下方に配置され、遊技球を旋回転動させる環状の転動面３７と、遊技球の旋回転動を案内する円弧状のガイド３８とを備えている。
したがって、第１球流下部３０ａを流下してきた遊技球は、球振分部材３２の転動面３７を、窪部３６の縁部に沿うようにして旋回しながら窪部３６に流下し、特別入賞孔３５ａの開設数と一般入賞孔３５ｂの開設数とに基づく所定の確率（本実施形態では１／３の確率）で特別入賞孔３５ａへ入賞し、残る確率（本実施形態では２／３）で一般入賞孔３５ｂへ入賞する。なお、特別入賞孔３５ａおよび一般入賞孔３５ｂの数を増減して、特別入賞孔３５ａへの入賞率を所望の確率に調整してもよい。
【００３１】
そして、球振分部材３２は、当該球振分部材３２の振動を抑える免震手段を備えている。具体的に説明すると、球振分部材３２は、図４に示すように、左右両側部および後部から平板状の取付部４０を突設し、該取付部４０と、ケース１２の底部のうち取付部４０が対向する箇所との間に、横方向（前後方向や左右方向）への剪断応力に対して弾性変形可能な免震部材４１を免震手段の一部として備えている。したがって、球振分部材３２は、免震部材４１によりケース１２の底部から離れた位置に支持され、免震部材４１を介して横方向へ移動（揺動）できるように構成されている。なお、本実施形態の免震部材４１は、薄肉の円板状ゴム材を上下方向に複数積層した積層ゴム（弾性体）により構成されている。
【００３２】
また、球振分部材３２の側縁部とケース１２の内側面との間には、免震手段の一部である離隔領域４２を形成している。この離隔領域４２は、所定幅（例えば、積層ゴムの横方向の最大剪断歪み量よりも十分に広い幅）を有して形成されている。そして、球振分部材３２の側縁部、例えば前側（図中左側）の側縁部には、薄肉のウレタンフォームや低反発性ゴム等からなる緩衝部材４３を設け、免震動作時（詳細については後述する）の球振分部材３２とケース１２とが衝突したとしても、この衝突により球振分部材３２あるいはケース１２が受ける衝撃を緩和することができ、ケース１２および球振分部材３２の損傷を抑えることができるように構成されている。なお、緩衝部材４３は、球振分部材３２の側縁部に設けることに限らず、この側縁部に対向するケース１２の内側部に設けてもよいし、あるいは球振分部材３２の側縁部および該側縁部に対向するケース１２の内側部に設けてもよい。また、球振分部材３２やケース１２の内側部の前側だけでなく、左右両側や後側に設けてもよい。
【００３３】
ケース１２のうち取付部４０と干渉し得る側部には、取付部４０よりもひと回り大きな開口部４５が開設されている。したがって、ケース１２が揺動してその側部が球振分部材３２に近づいても、取付部４０がケース１２に衝突することを防ぐことができ、ケース１２から球振分部材３２へ衝撃が伝わらない。なお、ケース１２の側部に設けられた開口部４５は、フロントケース１３に開設された切欠部４５ａとリアケース１４に開設された切欠部４５ｂとを対向させて形成され、球振分部材３２がケース１２に組み込まれるときには、両切欠部４５ａ，４５ｂで前後から挟み込むようにして球振分部材３２の側部の取付部４０を囲う（図３参照）。
【００３４】
さらに、球振分部材３２の各入賞孔３５の下方に臨ませたケース１２の底部には、図５に示すように、特別入賞孔３５ａに入賞した遊技球を回収する特別入賞回収口４６と、一般入賞孔３５ｂに入賞した遊技球を回収する一般入賞回収口４７とが開設され、特別入賞回収口４６の下方には、特別入賞センサ４８が設けられている。また、各入賞回収口４６，４７には遊技盤１の裏側の球集合樋（図示せず）に連通する球回収路４９が接続されている。
【００３５】
特別入賞回収口４６は、特別入賞孔３５ａよりも大きく開設された円形状開口であり、当該特別入賞回収口４６の半径を、例えば特別入賞孔３５ａの半径と球振分部材３２の移動可能距離（すなわち、免震部材４１の横方向の最大剪断歪み量）とを加えた長さと略同じになるように設定している。また、一般入賞回収口４７は、一般入賞孔３５ｂよりも大きく開設された円形状開口であり、当該一般入賞回収口４７の半径を、例えば一般入賞孔３５ｂの半径と球振分部材３２の移動可能距離（すなわち、免震部材４１の横方向の最大剪断歪み量）とを加えた長さと略同じになるように設定している。したがって、球振分部材３２の免震動作時に遊技球が各入賞孔３５へ入賞しても、この遊技球は、特別入賞回収口４６または一般入賞口で詰まることなくスムーズに球回収路４９へ流下することができる。
【００３６】
次に、球振分部材３２の免震動作について説明する。
上記のように、免震部材４１と離隔領域４２とで構成された免震手段を球振分部材３２に備え、パチンコ遊技機が揺れて、例えば後方へ移動すると、遊技盤１に固定された変動入賞装置４のケース１２は、図６に示すように、パチンコ遊技機とともに後方へ移動し、免震部材４１の下端に後向きの外力を加える。外力を受けた免震部材（積層ゴム）４１は、下端が後方へ移動するために前後方向の剪断変形（弾性変形）を発生させる。したがって、免震部材４１の内部に外力が分散および吸収され、免震部材４１の上端および球振分部材３２の取付部４０には外力（後向きの力）が伝達されない。このことから、球振分部材３２は、パチンコ遊技機が揺れる前と同じ位置に留まり易い。
【００３７】
また、パチンコ遊技機および変動入賞装置４のケース１２が前方や左右各側方に移動した場合でも、免震部材４１は、その下端にケース１２の移動方向と同じ方向の外力が加わって、剪断変形を生じる。したがって、免震部材４１の上端および球振分部材３２の取付部４０には外力が伝達されず、球振分部材３２は、パチンコ遊技機が揺れる前と同じ位置に留まり易い。
【００３８】
そして、パチンコ遊技機および変動入賞装置４のケース１２が元の位置（図６中破線で示す位置）に戻ろうとすると、弾性変形した免震部材４１は、その復元力で球振分部材３２をケース１２内における元の常態位置（図４（ｂ）参照）に戻す。したがって、球振分部材３２は、パチンコ遊技機の揺れが戻る時にも、パチンコ遊技機が揺れる前と同じ位置に留まり易い。このようにして、球振分部材３２は、免震動作を行うことができる。
【００３９】
したがって、遊技者が叩いたり揺らしたりしたことや地震等の不測の振動によりパチンコ遊技機が振動したとしても、球振分部材３２が振動することを防ぐことができる。これにより、球振分部材３２の上を転動する遊技球の動きが突然に変化したり、あるいは故意に変化されたりすることを阻止できる。このことから、遊技球が健全な遊技においては生じ得ないような動きをして特別入賞孔３５ａあるいは一般入賞孔３５ｂへ偏って入賞してしまうことを防いで、公平に遊技が行われることを維持することができ、遊技の興趣が減衰する不都合を抑えることができる。また、遊技者が遊技機を叩く等して外力を与える行為を抑制することができ、遊技機が損傷する不都合を生じ難くすることができる。さらに、遊技価値の付与率が遊技店の設定値を大きく上回らないようにすることができ、遊技店が多大な損失を被り難くすることができる。
【００４０】
そして、球振分部材３２の周囲に離隔領域４２を形成してあるので、免震動作によりケース１２と球振分部材３２との相対位置が変化しても、球振分部材３２がケース１２の内側壁に衝突し難い。したがって、球振分部材３２がケース１２に当たって振動を生じてしまう不都合をなくすようにすることができる。
【００４１】
また、免震部材４１を構成する積層ゴムは、縦方向（遊技球の落下方向）にも弾性変形するので、球振分部材３２に遊技球が落下してくる際の振動を吸収することができ、遊技球から受ける衝撃により球振分部材３２が損傷することを抑えることができる。
【００４２】
なお、上記実施形態では、免震部材４１を積層ゴムにて構成したが、本発明はこれに限定されない。例えば、免震部材を、図７に示すように、巻き軸を縦向きに配置したスプリング（コイルばね）５１により構成し、該スプリング５１の上端を球振分部材３２の下部に突設した取付ボス５２に嵌合し、下端をケース１２の底部上面に設けられた取付ベース５３の取付ボス５３ａに嵌合することで、球振分部材３２をケース１２内に支持してもよい。あるいは、積層ゴムとスプリングとを横に並べた状態で取付部４０の下に配置して、免震部材を構成してもよい。また、小さな剪断応力でも弾性変形可能な部材であれば、ゴム材やゲル材のブロック体であってもよい。
【００４３】
また、免震部材は、上記した積層ゴムやスプリング等の弾性体のみから構成することに限定されず、例えば、複数の転動体で構成してもよい。具体的に説明すると、図８に示す第１実施形態の変形例の球振分部材３２は、各取付部４０を複数（例えば３個）の球状転動体５６の上に載置し、取付部４０の前後両端には、復元用ばね（コイルばね）５７をケース１２の側部との間に接続している。すなわち、この球振分部材３２は、球状転動体５６と復元用ばね５７とから構成される免震部材５８を備え、この免震部材５８と離隔領域４２とにより免震手段を構成している。
【００４４】
球状転動体５６は、免震動作時において球振分部材３２をケース１２に対して相対移動させるための転動用ころとして機能するものであり、ケース１２の底部に形成された矩形状の包囲枠５９の内側空間に、該包囲枠５９内において前後左右方向に遊動可能な状態で収納されている。また、上側球面を包囲枠５９の上端よりも僅かに突出させて、免震動作時に包囲枠５９と球振分部材３２の取付部４０とが干渉しないように構成されている。そして、復元用ばね５７は、ケース１２に対して相対移動した球振分部材３２を元の位置に戻すためのものであり、一端を取付部４０の側部に、他端をケース１２の内側部にそれぞれ接続している。したがって、球振分部材３２がケース１２内における常態位置（図８（ｂ）参照）からずれると、復元用ばね５７は、取付部４０を球振分部材３２がずれた方向とは反対側の方向へ付勢する。
【００４５】
このように球状転動体５６と復元用ばね５７とにより免震部材５８を構成し、パチンコ遊技機が揺れて移動すると、遊技盤１に固定された変動入賞装置４のケース１２は、パチンコ遊技機とともに移動し、球状転動体５６の下端に外力（回転力）を加え、復元用ばね５７には変形力（引張力または圧縮力）を与える。外力を受けた球状転動体５６は、振分部材の取付部４０を載置した上側球面をケース１２の移動方向とは反対側へ送り出すように転動する。したがって、取付部４０には、パチンコ遊技機の移動（振動）方向へ働く外力が伝播され難く、球振分部材３２は、パチンコ遊技機が揺れる前と同じ位置に留まり易い。このようにして、球状転動体５６は、ケース１２内で球振分部材３２が振動の伝播を打ち消す免震動作をスムーズに行うことができ、球振分部材３２に対する免震効果を一層高めることができる。
【００４６】
そして、パチンコ遊技機および変動入賞装置４のケース１２が元の位置に戻ろうとすると、復元用ばね５７は、その復元力で球振分部材３２をケース１２内における元の常態位置（図４（ｂ）参照）に戻す。したがって、球振分部材３２は、パチンコ遊技機の揺れが戻る時にも、パチンコ遊技機が揺れる前と同じ位置に留まり易い。
【００４７】
なお、ケース１２は、図８（ｃ）に示すように、球振分部材３２の取付部４０を内側に配置する開口部４５のうち、取付部４０の移動可能な方向の端部にウレタンフォームや低反発性ゴム等の緩衝部材６０を設ければ、免震動作中の取付部４０とケース１２とが衝突したとしても、この衝突により取付部４０あるいはケース１２が受ける衝撃を緩和することができ、ケース１２および取付部４０の損傷を抑えることができて好適である。
【００４８】
また、球状転動体５６は、図９に示すように、球振分部材３２の取付部４０の裏側（ケース１２の底部に対向する側）に転動体ホルダ６２により回動可能な状態で保持してもよい。この転動体ホルダ６２は、球状転動体５６を１個保持可能な部材であり、下部に開口孔６３を開設し、この開口孔６３から球状転動体５６の下側球面を突出させている。したがって、球振分部材３２は、球状転動体５６の下側球面とケース１２の底部とを接触させてケース１２内に載置される。このように、球状転動体５６を転動体ホルダ６２に保持すれば、組立時やメンテナンス時に球状転動体５６がケース１２と取付部４０との間から脱落する虞がなくて好適である。
【００４９】
そして、球振分部材３２は、図１０に示すように、その底面に加重部材（ウェイト）６５を設けてもよい。この加重部材６５は、薄肉の金属板を球振分部材３２の下面と略同じ形状の外郭を有し、特別入賞孔３５ａおよび一般入賞孔３５ｂの下方に位置する箇所には、両入賞孔３５よりも十分に大きな開口６６を開設している。また、加重部材６５の左右両側には、球振分部材３２の左右両側部の下端に嵌合する嵌合片６７を折曲形成している。このような加重部材６５を球振分部材３２に取り付ければ、球振分部材３２が移動しようとする時の加速を鈍らせることができる。したがって、パチンコ遊技機が振動したとしても、球振分部材３２を元の位置のまま動かさないように維持し易くなり、球振分部材３２の免震効果を一層高めることができる。なお、球振分部材３２の下部に加重部材６５の端部を当接する位置決め突起６８を突設しておけば、加重部材６５を容易に位置決めできて好適である。また、加重部材６５は、上記した平板状に限定されず、例えば、球振分部材３２の内部に埋め込む金属ブロックであってもよい。
【００５０】
ところで、上記実施形態では、球転動部を複数の入賞孔３５が開設された球振分部材３２とし、この球振分部材３２に免震手段を設けたが、本発明はこれに限定されない。例えば、図１１に示す第２実施形態の変動入賞装置４は、基本的には上記した第１実施形態と同じであるが、下側凹室２４に形成された球転動部の構成が異なる。具体的に説明すると、第２実施形態の下側凹室２４は、その底部に連通口２５およびカウントセンサ２６の下方から前方へ向けて下り傾斜した床部７０を球転動部として備え、該床部７０の前方には、特別入賞口７１と、該特別入賞口７１の左右両側に配置された一般入賞口７２とを開設している。なお、特別入賞口７１の下方には特別入賞センサ７１ａ（図１２（ａ）参照）が備えられ、遊技球の特別入賞を検知できるように構成されている。さらに、特別入賞センサ７１ａの下方には、特別入賞口７１および一般入賞口７２に入賞した遊技球を遊技盤１の後方へ案内する球案内路７３を備えている。また、連通口２５およびカウントセンサ２６の直下には、上面を略十字状に膨出した円盤状の振分回転体７４を、回転軸を縦向きにした状態で配置し、該回転軸にはモータ（回転駆動源）７５を接続している。
【００５１】
そして、床部７０は、その上面の左右方向中央に、誘導溝７６を振分回転体７４から特別入賞口７１へ向けて下り傾斜した状態で形成して、誘導溝７６を流下する遊技球が特別入賞口７１へ誘導され易くなるように構成されている。また、床部７０の左右両側面には取付部７７を突設し、該取付部７７とケース１２の底部との間に免震部材（積層ゴム）７８を備えている。したがって、床部７０は、免震部材７８によりケース１２の底部から離れた位置に支持され、免震部材７８を介して横方向へ移動（揺動）できるように構成されている（図１２（ａ）参照）。さらに、床部７０の側縁部とケース１２の内側面との間、具体的には、床部７０の前側縁部とケース１２に設けられた特別入賞口７１の区画壁との間には離隔領域７９を形成している。この離隔領域７９は、所定幅（例えば、積層ゴムの横方向の最大剪断歪み量よりも十分に広い幅）を有して形成されている。
【００５２】
このように、免震部材７８と離隔領域７９とで構成された免震手段を床部７０に備え、パチンコ遊技機が揺れて移動すると、遊技盤１に固定された変動入賞装置４のケース１２は、パチンコ遊技機とともに移動し、免震部材７８の下端に外力を加える。外力を受けた免震部材（積層ゴム）７８は、下端が移動するために剪断変形（弾性変形）を発生させる。したがって、免震部材７８の内部に外力が分散および吸収され、免震部材７８の上端および床部７０の取付部７７には外力が伝達されない。このことから、床部７０は、パチンコ遊技機が揺れる前と同じ位置に留まり易い。そして、パチンコ遊技機および変動入賞装置４のケース１２が元の位置に戻ろうとすると、弾性変形した免震部材７８は、その復元力で床部７０をケース１２内における元の常態位置に戻す。したがって、床部７０は、パチンコ遊技機の揺れが戻る時にも、パチンコ遊技機が揺れる前と同じ位置に留まり易い。このようにして、床部７０は、免震動作を行うことができる。
【００５３】
したがって、床部７０を転動する遊技球は、パチンコ遊技機が叩かれたこと等により急に転動方向を変えてしまうことがない。具体的には、誘導溝７６に嵌っている遊技球がこの誘導溝７６から外れてしまったり、あるいは誘導溝７６から離れて流下している遊技球が急に誘導溝７６に嵌って特別入賞口７１へ向かって流下したりすることがない。したがって、遊技球が、健全な遊技においては生じ得ないような動きをして特別入賞口７１へ入賞してしまうことを防ぐことができ、公平な遊技を行うことができる。なお、免震部材７８は、積層ゴムに限定されず、例えば、図１２（ｂ）に示すように、巻き軸を縦向きに配置したスプリング（コイルばね）８０により構成してもよいし、あるいは、図１２（ｃ）に示すように、ケース１２の底部の包囲枠８１に収納した球状転動体８２と、取付部７７の側部とケース１２とを接続する復元用ばね８３とにより構成してもよい。また、小さな剪断応力でも弾性変形可能な部材であれば、ゴム材やゲル材のブロック体であってもよい。
【００５４】
ところで、上記実施形態では、内部に入賞口（入賞孔）を備えた変動入賞装置４に球転動部を設け、該球転動部に免震手段を備えたが、本発明はこれに限定されない。例えば、図１３に示す第３実施形態では、変動表示装置（所謂第１種センターケース）８５のステージ８６に免震手段を備えている。具体的に説明すると、変動表示装置８５は、図１３（ａ）に示すように、前面側を開口した凹室状に形成された額縁状のケース８８の中央部分に矩形の開口窓部８９を開設し、該開口窓部８９から液晶表示装置等の可変表示装置９０を設けている。また、ケース８８の上部には鎧部９１を前方へ突設し、該鎧部９１の中央には遊技領域３を流下する遊技球を取込可能な球誘導口９２を開設し、該球誘導口９２からケース８８の左右各側部に沿って球誘導路（所謂ワープ流路）９３を設け、ケース８８の下部上面には、球誘導路９３により誘導された遊技球が転動可能なステージ（球転動部）８６を備えている。
【００５５】
ステージ８６は、図１３（ｂ）に示すように、横長な板状の部材であり、その上面には、左右両側から中央へ向けて下り傾斜面を形成し、該下り傾斜面の下端には前方へ下る溝部９４を形成して、球誘導路９３からステージ８６の中央へ転動してきた遊技球が変動表示装置８５（あるいはケース８８）の下方に配置された入賞口（例えば、可変表示装置９０で行われる可変表示ゲームを始動するための始動入賞口）９５へ入賞し易くなるように構成されている。
【００５６】
また、ステージ８６は、その左右両側部および後部から取付部９６を突設し、該取付部９６とケース８８の底部との間に免震部材（積層ゴム）９７を備えている。したがって、ステージ８６は、免震部材９７によりケース８８の底部から離れた位置に支持され、免震部材９７を介して横方向へ移動（揺動）できるように構成されている（図１４（ａ）参照）。さらに、ステージ８６の側縁部とケース８８の内側面との間には、免震手段の一部である離隔領域９８を形成している。この離隔領域９８は、所定幅（例えば、積層ゴムの横方向の最大剪断歪み量よりも十分に広い幅）を有して形成されている。
【００５７】
このように、免震部材９７と離隔領域９８とで構成された免震手段をステージ８６に備え、パチンコ遊技機が揺れて移動すると、遊技盤１に固定された変動表示装置８５のケース８８は、パチンコ遊技機とともに移動し、免震部材９７の下端に外力を加える。外力を受けた免震部材（積層ゴム）９７は、下端が移動するために剪断変形（弾性変形）を発生させる。したがって、免震部材９７の内部に外力が分散および吸収され、免震部材９７の上端およびステージ８６の取付部９６には外力が伝達されない。このことから、ステージ８６は、パチンコ遊技機が揺れる前と同じ位置に留まり易い。そして、パチンコ遊技機および変動表示装置８５のケース８８が元の位置に戻ろうとすると、弾性変形した免震部材９７は、その復元力でステージ８６をケース８８内における元の常態位置に戻す。したがって、ステージ８６は、パチンコ遊技機の揺れが戻る時にも、パチンコ遊技機が揺れる前と同じ位置に留まり易い。このようにして、ステージ８６は、免震動作を行うことができる。
【００５８】
したがって、ステージ８６を転動する遊技球は、パチンコ遊技機が叩かれたこと等により急に転動方向を変えてしまうことがない。したがって、遊技球が、健全な遊技においては生じ得ないような動きをして入賞口９５へ入賞してしまうことを防ぐことができ、公平な遊技を行うことができる。なお、免震部材は、積層ゴムに限定されず、例えば、図１４（ｂ）に示すように、巻き軸を縦向きに配置したスプリング（コイルばね）９９により構成してもよいし、あるいは、図１４（ｃ）に示すように、ケース８８の底部の包囲枠１００に収納した球状転動体１０１と、取付部９６の側部とケース８８とを接続する復元用ばね１０２とにより構成してもよい。また、小さな剪断応力でも弾性変形可能な部材であれば、ゴム材やゲル材のブロック体であってもよい。
【００５９】
なお、上記実施形態においては、変動入賞装置４の内部に設けた球振分部材３２あるいは床部７０、または変動表示装置８５の内部に設けられたステージ８６に免震手段を設けたが、本発明はこれに限らず、遊技球を転動可能な球転動部であれば、例えば、遊技領域３内に単独で設けられた球転動部にであってもよい。また、免震部材に利用する転動体を球体としたが、本発明はこれに限定されず、例えば、円筒ころ、円錐ころ、樽状ころ等の転動体であってもよい。
【００６０】
前記した実施の形態は全ての点で例示であって制限的なものではないと考えられるべきである。本発明は、上記した説明に限らず特許請求の範囲によって示され、特許請求の範囲と均等の意味及び範囲内での全ての変更が含まれるものである。
【図面の簡単な説明】
【００６１】
【図１】遊技盤の正面図である。
【図２】（ａ）は変動入賞装置の凹室内を示す概略図、（ｂ）は球振分部材の平面図である。
【図３】変動入賞装置のケースおよび球振分部材の分解側面図である。
【図４】（ａ）は変動入賞装置のケースおよび球振分部材の分解平面図、（ｂ）はケース内に収納状態の球振分部材の側面図である。
【図５】特別入賞孔の中心位置で切断した球振分部材の側面断面図である。
【図６】球振分部材の免震動作を示す側面図である。
【図７】取付部にスプリングを備えた球振分部材の説明図であり、（ａ）分解平面図、（ｂ）は側面図である。
【図８】取付部に球状転動体を備えた球振分部材の説明図であり、（ａ）分解平面図、（ｂ）は側面図、（ｃ）は取付部周辺の部分拡大図である。
【図９】球状転動体を転動体ホルダで保持する球振分部材の説明図であり、（ａ）は正面断面図、（ｂ）は転動体ホルダの分解図である。
【図１０】加重部材の説明図であり、（ａ）は正面図、（ｂ）は球振分部材への取付動作を示す底面図、（ｃ）は加重部材を取り付けた球振分部材の背面図である。
【図１１】（ａ）は床部を備えた変動入賞装置の凹室内を示す概略図、（ｂ）は床部の平面図である。
【図１２】床部に備えた免震部材を示す概略図であり、（ａ）は積層ゴムからなる免震部材の説明図、（ｂ）はスプリングからなる免震部材の説明図、（ｃ）は球状転動体および復元用ばねからなる免震部材の説明図である。
【図１３】（ａ）は変動表示装置の斜視図、（ｂ）はステージの斜視図である。
【図１４】ステージに備えた免震部材を示す概略図であり、（ａ）は積層ゴムからなる免震部材の説明図、（ｂ）はスプリングからなる免震部材の説明図、（ｃ）は球状転動体および復元用ばねからなる免震部材の説明図である。
【符号の説明】
【００６２】
１  遊技盤
３  遊技領域
４  変動入賞装置
１２  ケース
１３  フロントケース
１４  リアケース
１９  可動部材
２１  凹室
３０  球流下部
３０ａ  第１球流下部
３０ｂ  第２球流下部
３２  球振分部材
３５  入賞孔
３５ａ  特別入賞孔
３５ｂ  一般入賞孔
４０  取付部
４１  免震部材
４２  離隔領域
４３  緩衝部材
４５  開口部
４５ａ，４５ｂ  切欠部
５１  スプリング
５２  取付ボス
５３  取付ベース
５３ａ  取付ボス
５６  球状転動体
５７  復元用ばね
５８  免震部材
５９  包囲枠
６０  緩衝部材
６２  転動体ホルダ
６５  加重部材
７０  床部
７１  特別入賞口
７２  一般入賞口
７６  誘導溝
７７  取付部
７８  免震部材
７９  離隔領域
８０  スプリング
８１  包囲枠
８２  球状転動体
８３  復元用ばね
８５  変動表示装置
８６  ステージ
８８  ケース
９２  球誘導口
９３  球誘導路
９４  溝部
９５  入賞口
９６  取付部
９７  免震部材
９８  離隔領域
９９  スプリング
１００  包囲枠
１０１  球状転動体
１０２  復元用ばね
【図１】
2006025840.tif 000003
【図２】
2006025840.tif 000004
【図３】
2006025840.tif 000005
【図４】
2006025840.tif 000006
【図５】
2006025840.tif 000007
【図６】
2006025840.tif 000008
【図７】
2006025840.tif 000009
【図８】
2006025840.tif 000010
【図９】
2006025840.tif 000011
【図１０】
2006025840.tif 000012
【図１１】
2006025840.tif 000013
【図１２】
2006025840.tif 000014
【図１３】
2006025840.tif 000015
【図１４】
2006025840.tif 000016